(57)【要約】【課題】  本発明は、施工、意匠性、強度、メンテナンス性、通気性に優れる面材の固定金具を提供する。【解決手段】  軒天井材１の上面１ｃを支えて止めることができる拘束片３ｃを有する受け金具３と、軒天井材１の下面１ｄを支えて止めることができる拘束片４ａを有する拘束金具４と、からなり、拘束金具４は、受け金具３に設けられた第１の嵌め合わせ部と、該拘束金具４に設けられた第２の嵌め合わせ部とが嵌り、軒天井材１を拘束片３ｃにより該軒天井材１の上面１ｃを支えて止めることができる位置に設置するまでの状態では、該軒天井材１と緩衝しない位置に退避可能で、前記状態の後に拘束片４ａにより軒天井材１の下面１ｄを支えて止めることができる位置に移動ができるように、受け金具３に設けられ、ねじ作用により、拘束片３ｃと拘束片４ａとを接近させ、軒天井材１を挟み込んで支持することを特徴とする。【選択図】      図３
2018199981.tif 000002
【特許請求の範囲】
【請求項１】
天井面または壁面を構成する面材を該面材の設置部分に連結する固定金具であって、
前記面材の一方の面を支えて止めることができる第１の拘束片を有する受け金具と、
前記面材の他方の面を支えて止めることができる第２の拘束片を有する拘束金具と、
からなり、
前記拘束金具は、前記受け金具に設けられた第１の嵌め合わせ部と、該拘束金具に設けられた第２の嵌め合わせ部とが嵌り、前記面材を前記第１の拘束片により該面材の一方の面を支えて止めることができる位置に設置するまでの状態では、該面材と緩衝しない位置に退避可能で、前記状態の後に前記第２の拘束片により前記面材の他方の面を支えて止めることができる位置に移動ができるように、前記受け金具に設けられ、
ねじ作用により、前記第１の拘束片と前記第２の拘束片とを接近させ、前記面材を挟み込んで支持することを特徴とする固定金具。
【請求項２】
前記受け金具は、前記第１の拘束片に対して略直交し、前記面材の端部の当てとなり、該面材と該面材が設置されない空間部分とを区切ることができる位置決め片を有することを特徴とする請求項１に記載の固定金具。
【請求項３】
天井面または壁面を構成する面材を支持する支持構造であって、
前記面材の一方の端部は、請求項１または請求項２に記載された固定金具により固定され、
前記面材の他方の端部は、前記面材の端部を両面側から挟み込んで支持する支持部材により固定されることを特徴とする支持構造。
【発明の詳細な説明】
【技術分野】
【０００１】
本発明は、天井面または壁面を構成する面材を該面材の設置部分に連結する固定金具及びそれを用いた面材の支持構造に関するものである。
【背景技術】
【０００２】
天井の施工に関して、特許文献１〜４が提案されている。特許文献１では、弾性変形可能な挿入突片を挟持部に差し込んで屈曲片により天井板の下面を支持する。特許文献２では、軒天井板の軒先側端部と受け金具とを拘束金具により拘束して固定する。特許文献３では、ビスにより移動可能に仮留めした支持金物をスライドさせて軒天井板の軒先側端部に嵌合する。特許文献４では、天井材の外壁側端部を支持具により挟み込んで固定する。軒天井板の軒先側端部を特許文献２の拘束金具により拘束して固定し、軒天井板の外壁側端部を特許文献４の支持具により挟み込んで固定することもできる。この場合、天井留め釘を省略することができ、軒天井の意匠性を向上させることができる。また、釘留めを無くすことで軒天井板の交換が容易になり、建物全体の長寿命化にもつながる。
【先行技術文献】
【特許文献】
【０００３】
【特許文献１】実開昭５７−０８９６４８号公報
【特許文献２】特開２００７−２９７８２９号公報
【特許文献３】特開２０１２−００７２９２号公報
【特許文献４】特開昭６３−２５５４４２号公報
【発明の概要】
【発明が解決しようとする課題】
【０００４】
しかしながら、特許文献１では、見切縁本体と取着枠とを弾性変形可能な範囲で取り付ける必要がある。これを軒天井板に用いる場合は、風圧力により軒天井板が外れないように強度上の措置を施す必要があった。軒天井板の軒先側端部を特許文献２の拘束金具により拘束して固定し、軒天井板の外壁側端部を特許文献４の支持具により挟み込んで固定した場合には、軒天井板の外壁側端部を特許文献４の支持具に挟み込んだ上で、軒天井板の軒先側端部を特許文献２の拘束金具により拘束して固定するとき、軒天井板の軒先側端部と特許文献２の拘束金具の軒天井板の軒先側端部を載せる部分とが干渉して軒天井板を軒裏に設置し難いという問題がある。
【０００５】
このような問題を解決するために、特許文献４の支持具の軒天井板の飲み込み部分を増やして軒天井板の出幅方向の寸法を少なくし前後にずらして入れ込むことも可能である。この場合、特許文献４の支持具の見付け幅が大きくなる分、意匠性が悪くなり、支持具が大型化するため部品コストもかかる。また、支持具の壁際の留め付け支点から軒天井板の外壁側端部までの距離が大きくなるため強度上不利になり支持具の板厚を厚くする必要性が生じて支持具の重量が増し、大型化するため部品コストもかかる。
【０００６】
一方、軒天井板は、目地を体裁良く合わせた上で固定することが好ましいが、軒天井板を固定しない状態で特許文献２の拘束金具を軒天井板の軒先側端部に嵌合すると、軒天井板が動いて位置ずれを起こすといった問題がある。軒天井板の軒先側端部に嵌合される特許文献３の支持金物に通気用の隙間を設ける場合には、施工や軒天井板の切断精度によっては、軒天井板の目地を体裁良く納めようとする余り軒天井板の端部が通気用隙間に緩衝して設置され、通気用隙間が阻害されるおそれがあり、設計通りに通気用面積が得難いという課題があった。
【０００７】
本発明は前記課題を解決するものであり、その目的とするところは、施工、意匠性、強度、メンテナンス性、通気性に優れる面材の固定金具を提供するものである。
【課題を解決するための手段】
【０００８】
前記目的を達成するための本発明に係る固定金具の代表的な構成は、天井面または壁面を構成する面材を該面材の設置部分に連結する固定金具であって、前記面材の一方の面を支えて止めることができる第１の拘束片を有する受け金具と、前記面材の他方の面を支えて止めることができる第２の拘束片を有する拘束金具と、からなり、前記拘束金具は、前記受け金具に設けられた第１の嵌め合わせ部と、該拘束金具に設けられた第２の嵌め合わせ部とが嵌り、前記面材を前記第１の拘束片により該面材の一方の面を支えて止めることができる位置に設置するまでの状態では、該面材と緩衝しない位置に退避可能で、前記状態の後に前記第２の拘束片により前記面材の他方の面を支えて止めることができる位置に移動ができるように、前記受け金具に設けられ、ねじ作用により、前記第１の拘束片と前記第２の拘束片とを接近させ、前記面材を挟み込んで支持することを特徴とする。
【発明の効果】
【０００９】
本発明に係る固定金具によれば、施工、意匠性、強度、メンテナンス性、通気性に優れる面材の固定金具を提供することが出来る。
【図面の簡単な説明】
【００１０】
【図１】本発明に係る面材の支持構造を示す断面説明図である。
【図２】（ａ），（ｂ）は、本発明に係る面材の固定金具を用いて面材を固定する手順を示す断面説明図である。
【図３】（ａ）は、本発明に係る面材の固定金具を用いて面材を固定する手順を示す断面説明図である。（ｂ）は、拘束金具の拘束片を軒天井材と緩衝しない位置に退避させた状態で軒天井材の軒先側端部を受け金具の拘束片により支えて止めた様子を示す断面説明図である。（ｃ）は、拘束金具の拘束片を軒天井材にオーバーラップする位置までスライド移動させた後、受け金具の係合片に設けられたネジ穴に螺合された固定ネジを回転させて拘束金具の拘束片を受け金具の拘束片に接近させる様子を示す断面説明図である。
【図４】（ａ），（ｂ）は、本発明に係る面材の固定金具を用いて面材を固定する手順を示す断面説明図である。
【図５】（ａ）は、受け金具の構成を示す斜視説明図である。（ｂ）は、受け金具の構成を示す正面説明図である。（ｃ）は、受け金具の構成を示す底面説明図である。（ｄ）は、受け金具の構成を示す側面説明図である。
【図６】（ａ）は、拘束金具の構成を示す斜視説明図である。（ｂ）は、拘束金具の構成を示す平面説明図である。（ｃ）は、拘束金具の構成を示す正面説明図である。（ｄ）は、受け金具の構成を示す側面説明図である。
【図７】（ａ）は、拘束金具のガイド片を受け金具のガイド穴内に挿入する前の状態を示す斜視説明図である。（ｂ）は、拘束金具のガイド片を受け金具のガイド穴内に挿入した状態を示す斜視説明図である。
【図８】（ａ）は、支持部材の構成を示す正面説明図である。（ｂ）は、支持部材の構成を示す側面説明図である。（ｃ）は、支持部材の構成を示す平面説明図である。（ｄ）は、支持部材の構成を示す底面説明図である。
【発明を実施するための形態】
【００１１】
図により本発明に係る固定金具及びこれを用いた支持構造の一実施形態を具体的に説明する。
【００１２】
＜支持構造＞
図１において、天井面または壁面を構成する面材の一例として軒天井材１の軒先側端部１ａ（一方の端部）は、固定金具２により設置部分となる鼻隠し下地材８（下地材）に連結して固定される。一方、軒天井材１の外壁側端部１ｂ（他方の端部）は、軒天井材１（面材）の外壁側端部１ｂ（端部）を上下両面側から挟み込んで支持する支持部材となる壁際見切材７により固定される。このような支持構造６により軒天井材１（天井面または壁面を構成する面材）が支持される。１７は屋根、１８は垂木、１３は、外壁の外装材、１５は胴縁である。軒天井材１、鼻隠し下地材８、屋根１７、外装材１３により軒裏空間１２が形成される。
【００１３】
＜固定金具＞
固定金具２は、図２（ａ）に示す鼻隠し下地材８（下地材）の下端面８ａに固定ビス９により固定される固定片３ａを有し、軒天井材１（面材）の上面１ｃ（一方の面）を支えて止める拘束片３ｃ（第１の拘束片）を有する図５に示す受け金具３を有する。更に、固定金具２は、軒天井材１（面材）の下面１ｄ（他方の面）を支えて止める拘束片４ａ（第２の拘束片）を有する図６に示す拘束金具４を有する。
【００１４】
＜受け金具＞
図５に示すように、受け金具３は、固定片３ａに設けられた貫通穴３ａ１に固定ビス９を挿通して鼻隠し下地材８の下端面８ａにビス止めにより固定される。固定片３ａに略直交して上方に起立し、図１に示すように、鼻隠し下地材８の軒裏空間１２側の側面８ｂに当接される起立片３ｂが設けられている。起立片３ｂには、貫通穴３ｂ１が設けられており、作業性によっては、或いは、軒天井材１の重量や風圧力による強度に応じて貫通穴３ｂ１に図示しない固定ビスを挿通して鼻隠し下地材８の軒裏空間１２側の側面８ｂからビス止めする場合もある。固定片３ａに略直交して下方に垂下する位置決め片３ｄが設けられている。位置決め片３ｄは、図３（ｃ）に示すように、軒天井材１の軒先側端部１ａの当てとなり、該軒天井材１と該軒天井材１が設置されない空間部分１９とを区切ることができる。軒天井材１が設置されない空間部分１９は、受け金具３の位置決め片３ｄと、受け金具３の起立片３ｂを下方に延長した仮想面２０との間に形成される空間で、通気経路として利用される部分である。位置決め片３ｄにより軒天井材１（面材）に平行で、鼻隠し下地材８（下地材）に向かう方向（図１の左右方向）の軒天井材１の位置を位置決めする。
【００１５】
位置決め片３ｄの長手方向（図５（ｂ）の左右方向）の両端部近傍には、第１の嵌め合わせ部となる貫通穴からなる一対のガイド穴３ｄ１が設けられている。図７（ａ），（ｂ）に示すように、ガイド穴３ｄ１には、拘束金具４に設けられた第２の嵌め合わせ部となるガイド片４ｂが挿通されて移動可能に嵌る。これにより拘束金具４は、受け金具３に対してスライド可能に係合される。ガイド穴３ｄ１の高さ方向の開口幅ｈは、ガイド片４ｂの板厚ｔよりも大きくなるように設定されている。これにより図３（ｃ）に示すように、固定ネジ５を係合片３ｅのネジ穴３ｅ１に螺合して回転させるとガイド片４ｂがガイド穴３ｄ１内に嵌合された状態で上下方向に移動することができる。
【００１６】
図５に示すように、位置決め片３ｄに略直交して固定片３ａに略平行な係合片３ｅが設けられている。係合片３ｅには、図１に示す固定ネジ５が螺合されるネジ穴３ｅ１が設けられている。図１に示すように、拘束金具４の拘束片４ａの下側から図６に示す拘束片４ａに設けられた貫通穴からなる長穴４ａ１内に固定ネジ５を挿通し、図５に示す受け金具３の係合片３ｅに設けられたネジ穴３ｅ１に固定ネジ５を螺合締結する。このねじ作用により固定ネジ５は、受け金具３と拘束金具４とに係合して、受け金具３に設けられた拘束片３ｃ（第１の拘束片）と、拘束金具４に設けられた拘束片４ａ（第２の拘束片）とを接近させる。受け金具３の係合片３ｅに設けられたネジ穴３ｅ１に螺合された固定ネジ５が第１の嵌め合わせ部として構成され、拘束金具４の拘束片４ａに設けられた長穴４ａ１が第２の嵌め合わせ部として構成される。そして、固定ネジ５の軸部が長穴４ａ１内に挿入されて嵌る。
【００１７】
＜拘束金具＞
図６に示すように、拘束金具４の拘束片４ａに略直交して上方に起立する起立片４ｃが設けられている。また、拘束金具４の拘束片４ａに略直交して下方に垂下する垂下片４ｄが設けられている。図３（ｂ），（ｃ）に示すように、施工作業員は、起立片４ｃや垂下片４ｄを摘んで拘束金具４を受け金具３に対して図３（ｂ），（ｃ）の左右方向にスライド移動させることができる。また、図１に示すように、通気穴が設けられた長尺状の通気見切り材１０を鼻隠し下地材８の下端面８ａに固定ビス１１により固定する際に、垂下片４ｄが通気見切り材１０の内側に嵌入され、起立片４ｃが通気見切り材１０の水返し片１０ａに当接して通気見切り材１０を取り付ける際のガイドと位置決めを兼ねている。
【００１８】
拘束片４ａの長手方向（図６（ｂ），（ｃ）の左右方向）の両端部で、拘束片４ａに略直交して上方に起立する一対の起立片４ｅが設けられている。起立片４ｅに略直交して拘束片４ａに略平行にガイド片４ｂが設けられている。図３（ｂ）に示すように、固定ネジ５を係合片３ｅのネジ穴３ｅ１に螺合するねじ作用により受け金具３の拘束片３ｃ（第１の拘束片）と、拘束金具４の拘束片４ａ（第２の拘束片）とを接近させて軒天井材１を挟み込んで拘束する前に拘束金具４の拘束片４ａは、軒天井材１（面材）と緩衝しない位置に退避可能で、軒天井材１を挿入後に図３（ｃ）に示すように、軒天井材１の下面１ｄ（他方の面）を拘束する位置に移動可能に設けられている。
【００１９】
そして、図３（ｃ）に示すように、拘束金具４の拘束片４ａを軒天井材１の下面１ｄ（他方の面）を拘束する位置に移動した後、固定ネジ５を係合片３ｅのネジ穴３ｅ１に螺合締結する、ねじ作用により受け金具３に設けられた拘束片３ｃ（第１の拘束片）と、拘束金具４に設けられた拘束片４ａ（第２の拘束片）とを接近させて軒天井材１（面材）を挟み込んで支持する。
【００２０】
＜施工手順＞
次に、図２〜図４を用いて、図１に示す天井面または壁面を構成する面材の一例である軒天井材１を支持する支持構造６の施工手順について説明する。先ず、図２（ａ）に示すように、鼻隠し下地材８の下端面８ａに受け金具３の固定片３ａを当接すると共に、鼻隠し下地材８の軒裏空間１２側の側面８ｂに受け金具３の起立片３ｂを当接する。そして、図５に示す固定片３ａに設けられた貫通穴３ａ１に固定ビス９を挿通して鼻隠し下地材８の下端面８ａにビス止めする。作業性によっては、或いは、取り付け強度を増したい場合には、受け金具３の起立片３ｂに設けられた貫通穴３ｂ１に固定ビス９を挿通して鼻隠し下地材８の軒裏空間１２側の側面８ｂにビス止めすることもできる。
【００２１】
一方、外壁を構成する外装材１３の表面には、図８に示す壁際見切材７（支持部材）の固定片７ａが当接され、固定片７ａに設けられた貫通穴７ａ１内に固定ビス１４を挿通して外装材１３及び胴縁１５にビス止めする。壁際見切材７は、断面が略コ字形状で構成されており、軒天井材１の上面１ｃに当接して拘束する上部拘束片７ｂの水平方向（図２（ｂ）の左右方）の長さが、軒天井材１の下面１ｄに当接して拘束する下部拘束片７ｃの水平方向（図２（ｂ）の左右方）の長さよりも長く設定されている。これにより図２（ｂ）に示すように、軒天井材１の軒先側端部１ａが外壁側端部１ｂよりも低い姿勢で斜めにした状態で軒天井材１の外壁側端部１ｂを壁際見切材７の開口７ｄから容易に挿入することができる。
【００２２】
このとき、図３（ｂ）に示すように、拘束金具４の拘束片４ａは、図３（ｂ）の左側にスライドさせて軒天井材１と緩衝しない位置に退避させている。このとき、固定ネジ５は、拘束金具４の拘束片４ａに設けられた長穴４ａ１内に挿通され、受け金具３の係合片３ｅに設けられたネジ穴３ｅ１に軽く螺合されて係合している。これにより軒天井材１の外壁側端部１ｂを壁際見切材７内に挿入した状態で軒天井材１の軒先側端部１ａを図２（ｂ）の上方に持ち上げて図３（ｂ）に示すように、受け金具３の拘束片３ｃに軒天井材１の上面１ｃを当接し、拘束金具４の起立片４ｃ或いは垂下片４ｄを把持して拘束金具４の拘束片４ａを図３（ｃ）の右側にスライドさせて軒天井材１の下面１ｄを拘束する位置に移動する。
【００２３】
そして、図３（ａ），（ｃ）に示すように、固定ネジ５を受け金具３の係合片３ｅに設けられたネジ穴３ｅ１に螺合締結して、ねじ作用により受け金具３の拘束片３ｃと、拘束金具４の拘束片４ａとを接近させ、図４（ａ）に示すように、受け金具３の拘束片３ｃと、拘束金具４の拘束片４ａとで軒天井材１を挟み込んで固定支持する。そして、図４（ａ）に示すように、通気見切り材１０の固定片１０ｂを鼻隠し下地材８の下端面８ａに当接して固定ビス１１によりビス止めする。その後、図１に示すように、鼻隠し部材１６を鼻隠し下地材８の軒先側の側面８ｃに取り付ける。
【００２４】
本実施形態では、図３（ｂ）に示すように、拘束金具４の拘束片４ａを図３（ｂ）の左側にスライドさせて軒天井材１と緩衝しない位置に退避させた状態で、軒天井材１の上面１ｃを受け金具３の拘束片３ｃに当接させた後、図３（ｃ）に示すように、拘束金具４の拘束片４ａを軒天井材１にオーバーラップする位置まで図３（ｃ）の右側にスライド移動させる。その後、受け金具３の係合片３ｅに設けられたネジ穴３ｅ１に軽く螺合された固定ネジ５を回転させて、ねじ作用により拘束金具４の拘束片４ａを受け金具３の拘束片３ｃに接近させる。これにより拘束金具４の拘束片４ａを軒天井材１の下面１ｄに当接させて受け金具３の拘束片３ｃと拘束金具４の拘束片４ａとにより軒天井材１を両面側から挟んで固定する。これにより軒天井材１を軒裏空間１２に容易に設置することができる。
【００２５】
一方、軒天井材１の外壁側端部１ｂを両面側から挟み込んで支持する壁際見切材７（支持部材）により固定する場合には、軒天井材１の釘留め作業等が省略化できる。また、図２（ｂ）に示すように、拘束金具４の拘束片４ａを軒天井材１と緩衝しない位置に退避させた状態で軒天井材１の軒先側端部１ａを受け金具３の拘束片３ｃに当接させることができる。このため軒天井材１の挿入時に軒先側端部１ａが拘束金具４の拘束片４ａと干渉しない。これにより軒天井材１の設置が容易にできる。また、軒天井材１の外壁側端部１ｂを壁際見切材７（支持部材）の外装材１３に固定した固定片７ａに接近して設置できる。これにより壁際見切材７（支持部材）を小型化することができ、強度上も壁際見切材７（支持部材）の板厚を小さくすることができるため意匠性に優れ、軽量化、小型化して部品コストを低減することができる。
【００２６】
また、図３（ｃ）に示すように、受け金具３を取り付ける鼻隠し下地材８（下地材）から離間した位置に位置決め片３ｄが設けられる。これにより軒天井材１の軒先側端部１ａにより通気が阻害されない安定した通気経路を容易に形成することができる。通気経路は、鼻隠し下地材８（下地材）と、軒天井材１の軒先側端部１ａと、所定ピッチで設けられる受け金具３相互の間に形成される。
【産業上の利用可能性】
【００２７】
本発明の活用例として、天井面または壁面を構成する面材を該面材の設置部分に連結する固定金具及びそれを用いた面材の支持構造に適用できる。
【符号の説明】
【００２８】
ｔ…ガイド片４ｂの板厚
ｈ…ガイド穴３ｄ１の高さ方向の開口幅
１…軒天井材（天井面または壁面を構成する面材）
１ａ…軒先側端部（一方の端部）
１ｂ…外壁側端部（他方の端部）
１ｃ…上面（一方の面）
１ｄ…下面（他方の面）
２…固定金具
３…受け金具
３ａ…固定片
３ａ１…貫通穴
３ｂ…起立片
３ｂ１…貫通穴
３ｃ…拘束片（第１の拘束片）
３ｄ…位置決め片
３ｄ１…ガイド穴（第１の嵌め合わせ部）
３ｅ…係合片
３ｅ１…ネジ穴
４…拘束金具
４ａ…拘束片（第２の拘束片）
４ａ１…長穴（第２の嵌め合わせ部）
４ｂ…ガイド片（第２の嵌め合わせ部）
４ｃ…起立片
４ｄ…垂下片
４ｅ…起立片
５…固定ネジ（第１の嵌め合わせ部）
６…支持構造
７…壁際見切材（支持部材）
７ａ…固定片
７ａ１…貫通穴
７ｂ…上部拘束片
７ｃ…下部拘束片
７ｄ…開口
８…鼻隠し下地材（下地材）
８ａ…下端面
８ｂ…軒裏空間１２側の側面
８ｃ…軒先側の側面
９…固定ビス
１０…通気見切り材
１０ａ…水返し片
１０ｂ…固定片
１１…固定ビス
１２…軒裏空間
１３…外装材
１４…固定ビス
１５…胴縁
１６…鼻隠し部材
１７…屋根
１８…垂木
１９…軒天井材１が設置されない空間部分
２０…仮想面
【図１】
2018199981.tif 000003
【図２】
2018199981.tif 000004
【図３】
2018199981.tif 000005
【図４】
2018199981.tif 000006
【図５】
2018199981.tif 000007
【図６】
2018199981.tif 000008
【図７】
2018199981.tif 000009
【図８】
2018199981.tif 000010